(57)【要約】【課題】少量の毛髪をアルミホイル上にのせて染毛剤を塗布後、刷毛に毛髪が付着せず、しなやかにして、しかも均一に染毛剤を塗布することができ、そのうえ、少量の毛髪の束をアルミホイル上で自在に動かしやすい刷毛を提供することである。【解決手段】少なくとも把持部と植毛部とからなり、該植毛部の前列、中列および後列にそれぞれ列をなして植毛が設けられ、該中列に設けられた植毛の高さに対して前列および後列に設けられた植毛の高さが低くされてなることを特徴としている。【選択図】図１
0003117094.tif 000002
【実用新案登録請求の範囲】
【請求項１】
少なくとも把持部と植毛部とからなり、該植毛部の前列、中列および後列にそれぞれ列をなして植毛が設けられ、該中列に設けられた植毛の高さに対して前列および後列に設けられた植毛の高さが低くされてなる刷毛。
【請求項２】
前記植毛部の前列、中列および後列に沿ってそれぞれ複数の植毛穴が穿設され、該植毛穴に植毛が設けられてなる請求項１記載の刷毛。
【請求項３】
前記中列の植毛の高さに対して前列および後列の植毛の高さが２〜１０ｍｍ低くされてなる請求項１または２記載の刷毛。
【請求項４】
前記中列の複数の植毛穴に設けられた植毛の外径がそれぞれ１．０〜３．０ｍｍであり、かつ８０〜１３０本の合成樹脂繊維からなり、前列および後列の複数の植毛穴に設けられた植毛の外径がそれぞれ１．０〜３．０ｍｍであり、かつ７０〜１２０本の合成樹脂繊維からなる請求項２または３記載の刷毛。
【請求項５】
前記中列に設けられた合成樹脂繊維の初期弾性率が前記前列および後列の合成樹脂繊維の初期弾性率よりも大きい請求項４記載の刷毛。
【請求項６】
前記前列および後列の植毛穴に設けられた植毛の束が、その軸心に近づくにつれてその高さが高くされてなる請求項４または５記載の刷毛。
【請求項７】
前記前列および後列の植毛穴に設けられた植毛の束が、前記中列に近づくにつれてその高さが高くされてなる請求項４または５記載の刷毛。
【考案の詳細な説明】
【技術分野】
【０００１】
本考案は刷毛に関する。
【背景技術】
【０００２】
染毛用の刷毛としては、板状の把持部の一端に、当該把持部と一体的に成形された櫛部と、ブラシ毛が植毛されたブラシ部とを有する染毛用櫛が知られている（特許文献１参照）。
【０００３】
特許文献１に開示された染毛用具の場合、ブラシ部を毛髪に押し付けるとブラシ部のブラシ毛がばらけたり、ブラシ毛の先端がカールする。そのため、ブラシ毛で毛髪をといた場合に、ブラシ毛がもっぱら頭の表面だけをなでるので、毛髪の根元への染毛剤の塗布が難しくなり、またブラシ部を頭に押し付けると、ブラシ毛がねてしまい、毛髪の根元への染毛剤の塗布が一層難しくなるという問題がある。
【０００４】
特許文献２の染毛用具は、ブラシ毛の植毛部列と櫛歯列とを並設させ、ブラシ毛の高さを櫛歯の高さよりも高くすることにより、特許文献１の問題を解決している。
【０００５】
【特許文献１】特開平１０−７１０２０号公報
【特許文献２】特開２００４−１５４４２６号公報
【考案の開示】
【考案が解決しようとする課題】
【０００６】
毛髪全体がより美しく視覚されるように、アルミホイルなどを利用して部分的に毛髪を染毛するハイライトやウィービングという美容施術が近年用いられている。それらの施術方法では、少量の毛髪をアルミホイル上にのせて染毛剤を塗布した後、アルミホイルを折りたたんで毛髪を包み込み、それらの作業を毛髪全体に複数箇所繰り返すといった、細かな作業が必要になる。よって、塗布後刷毛に毛髪が付着せず、塗布し始めから終わりまで毛髪全体に均一に染毛剤を塗布できること、さらにはすばやく塗布できる事が必要となっている。また、染毛剤塗布後の毛髪全てをアルミホイルで包み込むため、長い毛髪に関してはその毛髪の束をアルミホイル上で自在に動かしやすい刷毛が求められている。
【０００７】
しかしながら、従来あるブラシ毛部分の高さが均一である刷毛では、上記のような細かな美容施術では使い勝手が悪く、また前記特許文献２に記載された染毛用具では、並設されている櫛歯列が細かい作業を困難にすることはもちろん、櫛歯列より下方についている染毛剤を塗布する事が難しかったり、また使用しているアルミホイル等を塗布時に破損させてしまう恐れがあるため、前記ハイライトやウィービングという美容施術には不充分であった。
【０００８】
そこで、本考案は少量の毛髪をアルミホイル上にのせて染毛剤を塗布時、刷毛に毛髪が付着しにくく、塗布し始めから終わりまで均一に染毛剤をすばやく塗布でき、そのうえ少量の毛髪の束をアルミホイル上で自在に動かしやすい刷毛を提供することを目的としている。
【課題を解決するための手段】
【０００９】
本考案の刷毛は、少なくとも把持部と植毛部とからなり、該植毛部の前列、中列および後列にそれぞれ列をなして植毛が設けられ、該中列に設けられた植毛の高さに対して前列および後列に設けられた植毛の高さが低くされてなることを特徴としている。
【００１０】
また、前記植毛部の前列、中列および後列に沿ってそれぞれ複数の植毛穴が穿設され、該植毛穴に植毛が設けられることが好ましい。
【００１１】
また、前記中列の植毛の高さに対して前列および後列の植毛の高さが２〜１０ｍｍ低く、より好ましくは５〜７ｍｍ低くされていると、塗布時に毛髪が刷毛に付着しにくく、均一に染毛剤を毛髪に塗布しやすくなる。
【００１２】
さらに、美容施術時の操作性をより向上させるため、中列の植毛は前列および後列の植毛よりも固い合成樹脂繊維である事が好ましい。また、そのような刷毛では、少量の毛髪の束をアルミホイル上で自在に動かしやすくなる。
【００１３】
ここで、植毛穴に設けられた植毛の外径は特に限定されないが、例えば前記中列の複数の植毛穴に設けられた植毛の外径がそれぞれ１．０〜３．０ｍｍであれば、８０〜１３０本の合成樹脂繊維からなる事が好ましく、前列および後列の複数の植毛穴に設けられた植毛の外径がそれぞれ１．０〜３．０ｍｍであれば、かつ７０〜１２０本の合成樹脂繊維からなるようにすることができる。
【００１４】
また、前記前列および後列の植毛穴に設けられた植毛の束が、その軸心に近づくにつれてその高さが高くされると、染毛剤を毛髪に塗布した直後から最後までしなやかに伸ばすことができる。
【００１５】
また、前記前列および後列の植毛穴に設けられた植毛の束が、前記中列に近づくにつれてその高さが高くされてなることが好ましい。
【考案の効果】
【００１６】
本考案によれば、植毛部の前列、中列および後列にそれぞれ列をなして植毛が設けられ、該中列に設けられた植毛の高さに対して前列および後列に設けられた植毛の高さが低くされているので、少量の毛髪をアルミホイル上にのせて染毛剤を塗布する際、中列に設けられた植毛が塗布した際に毛髪を掴み、中列よりも軟らかい合成樹脂繊維である前列または後列の植毛によって、染毛剤を均一に、さらにすばやく塗布することができる。またさらに少量の毛髪の束をアルミホイル上で自在に動かしやすい刷毛を提供することができる。
【考案を実施するための最良の形態】
【００１７】
本考案の刷毛を添付図面を参照しながら以下に詳細に説明する。図１は本考案の実施の形態にかかわる刷毛の一例を示す斜視図、図２は図１の刷毛の側面説明図、図３は本考案の刷毛の植毛部に穿設された植毛穴の配列を示す説明図、図４は本考案の他の実施の形態にかかわる刷毛の一例を示す側面説明図である。
【００１８】
図１および２を参照すると、本実施の形態の刷毛１は、把持部２と植毛部３とから構成されている。植毛部３の前列、中列および後列にそれぞれ列をなして前列の植毛４、中列の植毛５および後列の植毛６が設けられている。
【００１９】
図２を参照すると、前列および後列の植毛４、６の高さＨ１は、中列の植毛５の高さより低くされている。
【００２０】
前列の植毛４および後列の植毛６の高さＨ１は、たとえば、１０〜３０ｍｍとすることが好ましく、中列の植毛５の高さＨ２は、たとえば、１５〜４０ｍｍとすることが好ましい。そして、前列および後列の植毛４、６の高さＨ１は、中列の植毛５の高さＨ２との差は、２ｍｍ〜１０ｍｍとすることが好ましく、５ｍｍ〜７ｍｍとすることがさらに好ましい。
【００２１】
つぎに図３を参照すると、本実施の形態の刷毛の植毛部３には、前列ＦＲに沿って１４個の植毛穴Ｒ１が穿設され、中列ＣＲに沿って１５個の植毛穴Ｒ２が穿設され、後列ＲＲに沿って１４個の植毛穴Ｒ３が穿設されている。しかし、前列ＦＲ、中列および後列ＲＲにそって穿設される植毛穴Ｒ１、Ｒ２およびＲ３の数は図示された例に限られることはなく、たとえば１０〜２０の範囲より好ましくは１３〜１６の範囲で穿設されていることが好ましい。隣合う植毛穴間の距離（ピッチ）Ｐとしては、０．５〜２ｍｍであることが好ましい。
【００２２】
また、前列ＦＲ、中列および後列ＲＲにそって穿設される植毛穴Ｒ１、Ｒ２およびＲ３は、図示された例では千鳥状に配列されているが、千鳥状に限られることはなく、格子状に配列することももちろん可能である。
【００２３】
さらに、前列ＦＲ、中列および後列ＲＲにそって穿設される植毛穴Ｒ１、Ｒ２およびＲ３の形状は、ほぼ円形穴が図示されているが、円形穴に限られることはなく、たとえば、三角形、四角形などの多角形穴や、楕円形穴、長円形穴を採用することも可能である。
【００２４】
中列の植毛穴Ｒ２に植設された植毛５は、それぞれ８０〜１３０本の合成樹脂繊維から構成され、前列の植毛穴Ｒ１に植設された植毛４および後列の植毛穴Ｒ３に植設された植毛６はそれぞれ７０〜１２０本の合成樹脂繊維から構成されており、かつ前列ＦＲ、中列および後列ＲＲの植毛穴Ｒ１、Ｒ２およびＲ３の単位面積（ｍｍ2）あたり２０〜６０本植設されていることが好ましい。
【００２５】
また、中列ＣＲの植毛穴Ｒ２に植設される合成樹脂繊維としては、たとえばＰＥＴ（ポリエチレンテレフタラート）が好適に採用され、中列および後列ＲＲの植毛穴Ｒ１、Ｒ３に植設される合成樹脂繊維としては、たとえばＰＢＴ（ポリブチレンテレフタレート）が好適に採用される。
【００２６】
そして中列ＣＲの植毛穴Ｒ２に植設される合成樹脂繊維１本の直径はたとえば０．１５ｍｍであり、初期弾性率（初期引張抵抗度）は１０〜２０ＧＰａであることが好ましく、前列ＦＲおよび後列ＲＲの植毛穴Ｒ１、Ｒ３に植設される合成樹脂繊維１本の直径はたとえば０．１５ｍｍであり、初期弾性率（初期引張抵抗度）は２〜６ＧＰａであることが好ましい。要は中列ＣＲの合成樹脂の曲げ弾性率が前列および後列の合成樹脂繊維の弾性率よりも大きいことが必要である。
【００２７】
前列ＦＲの植毛穴Ｒ１および後列ＲＲの植毛穴Ｒ３に設けられた植毛４、６が、その軸心に近づくにつれてその高さが高くされていると、染毛剤を毛髪に塗布した直後から最後までしなやかに伸ばすことができる。この効果を得る奏し得る構成としては、図４に示すように、中列ＣＲに近づくにつれて、前列ＦＲの植毛穴Ｒ１および後列ＲＲの植毛穴Ｒ３に設けられた植毛４、６の高さが高くされることがもっとも好ましい。
【図面の簡単な説明】
【００２８】
【図１】本考案の実施の形態にかかわる刷毛の一例を示す斜視図である。
【図２】図１の刷毛の側面説明図である。
【図３】本考案の刷毛の植毛部に穿設された植毛穴の配列を示す説明図である。
【図４】本考案の実施の形態にかかわる刷毛の一例を示す側面説明図である。
【符号の説明】
【００２９】
１  刷毛
２  把持部
３  植毛部
４  前列の植毛
５  中列の植毛
６  後列の植毛
ＣＲ  中列
ＦＲ  前列
ＲＲ  後列
Ｒ１、Ｒ２、Ｒ３  植毛穴
【図１】
0003117094.tif 000003
【図２】
0003117094.tif 000004
【図３】
0003117094.tif 000005
【図４】
0003117094.tif 000006